(57)【要約】  本発明は、マウスピース（10）、リード（12）、及び該リード（12）を該マウスピース（10）に固定するためのリガトゥラを有する、例えば、クラリネットやサキソホーンなどの、単一の振動リードを有する口唇要素に関する。このマウスピースにおいては、リード（12）とマウスピース（10）との間に挿入体（14）を配し、これによってマウスピース（10）の表甲を実質的に変更して、該２つの部材が協働する状態の変更、特に、リード（12）の振動的挙動の最適化を可能にする。この挿入体は、接着剤を有する薄いプラスチック又は金属フィルムで形成されており、側方から見ると、傾斜した形状を有している。
2005513578.tif 000002
【特許請求の範囲】
【請求項１】
−・バッフル（26a）、該バッフルもしくは斜面に対向する壁及び２つの側壁（26b）、並びに孔（27）を備え、楽器の管に向けて空気を流すと共に音波を循環させるためのチャンバー（26）；並びに
・前記チャンバー（26）のいずれかの側面に横方向に配されて前記２つの側壁（26b）の端部を形成する湾曲部（20b）、及び該湾曲部（20b）の延長上にあり、前記チャンバー（26）と孔（27）との上に配される実質的に平坦な部分（20a）を有する第一の原面
を備えたマウスピース（10）、
−・該マウスピースに固定されるストック（30）；
・振動するバンプ（32）；及び
・該ストック（30）とバンプ（32）との全長に亘って延在し、それらの表面の一つを形成する表甲（28）；
を有し、前記ストック（30）に関連する前記表甲（28）の部分を介して、前記第一の原面の平坦な部分（20a）に対して支持されるように配されているリード（12）；並びに
−マウスピース（10）上にリード（12）を確実に組み付けるリガトゥラ
を有し、
前記マウスピース（10）と前記リード（12）とはそれらの間に空気を通し、音の振動を発生するための開口部（48）を限定し、空気は前記チャンバー（26）内、そして略長手方向に前記孔（27）の中に流れ込む、リード楽器用のマウスピース組立体において、
このマウスピース組立体は、マウスピースの原面（20）と前記リードの表甲（28）との間に狭持され、前記第一の原面と共に第二の実質面を限定するように配され、音の生成中に存在する、パッチの形状をしている除去可能な挿入体（14）をさらに有し、前記第二の実質面は、前記第一の原面（20）の形状、前記挿入体（14）及び前記第一の原面（20）上の挿入体（14）の位置の関数となっていることによって特徴付けられる、マウスピース組立体。
【請求項２】
前記挿入体（14）が、前記湾曲部（20b）の一部を覆うことを特徴とする請求項１に記載のマウスピース組立体。
【請求項３】
その端部の少なくとも一方に、前記リード（12）のバンプ（32）に面するように配された傾斜面（40）を有することを特徴とする、請求項１及び２のいずれか一項に記載のマウスピース組立体（10）とリード（12）との間に狭持される挿入体（14）。
【請求項４】
前記挿入体の厚さがその長手方向に沿って、３つの部位によって限定され、各部位が四次の多項関数で形成されている連続関数に実質的に従って変化しており、前記部位の１つが少なくとも２つの０ではない係数を、２mmを越える長さに亘って有していることを特徴とする請求項３に記載の挿入体。
【請求項５】
前記傾斜面の端部の厚さが0.09 mm未満であることを特徴とする請求項３又は４に記載の挿入体。
【請求項６】
前記挿入体が、相互に固定され、重ね合わされた薄いシートによって形成されており、重ね合わされたシートの枚数が前記傾斜面（40）を形成するために減少して行くことを特徴とする、請求項３〜５のいずれか一項に記載の挿入体。
【請求項７】
前記傾斜面（40）の頂点の角度が３°未満であることを特徴とする、請求項３〜６のいずれか一項に記載の挿入体。
【請求項８】
前記傾斜面（40）を含む端部（36）が、その全厚において設けられると共にその中央部に横方向に配される切り出し部（46）を有することを特徴とする、請求項３〜７のいずれか一項に記載の挿入体。
【請求項９】
前記チャンバー（26）への導通性を改良するための前記切り出し部（46）が、前記湾曲部（20b）に接触支持されるように配される２本の指状体（42, 44）によって定められることを特徴とする、請求項８に記載の挿入体。
【請求項１０】
熱可塑的変形によって加工することのできる材料によって形成されていることを特徴とする、請求項３〜９のいずれか一項に記載の挿入体。
【請求項１１】
前記材料がアルミニウム合金であることを特徴とする請求項１０に記載の挿入体。
【請求項１２】
前記材料がプラスチック材料であることを特徴とする請求項１０に記載の挿入体。
【請求項１３】
前記材料が熱形成型の材料であることを特徴とする請求項１２に記載の挿入体。
【請求項１４】
前記リード（12）及び／又はマウスピース（10）と接触する、その表面の少なくとも一部が、再配置可能なタイプの接着剤層を有していることを特徴とする、請求項３〜１３のいずれか一項に記載の挿入体。
【発明の詳細な説明】
【技術分野】
【０００１】
本発明は単一の音栓リードを有する楽器、特にクラリネット及びサキソホーンに関する。これらの楽器は、空気柱を形成する孔を有しており、楽器奏者はこの空気柱を振動させて音を発生させる。より詳細には、本発明は、楽器内に空気を吹き入れて空気柱を振動させるための、マウスピース、リード、及びリガトゥラを有する部分に関する。この明細書においては、楽器が口に保持される状態のみを意味する「アンブシュール」という用語との混乱を避けるために、当該部分を「マウスピース組立体」と称する。マウスピースは、湾曲した部分と、リードの支持体として機能するように作られた実質的に平坦な部分とを有する面を含んでいる。以下の記載において、特別な説明なく使用される「面」という用語は、常にマウスピースの面を意味する。
【背景技術】
【０００２】
この型の楽器の動作を正しく理解するには、エルネスト・フェロンによる「クラリネット、私の友達（"Clarinette mon amie"）」という題の文献（IMD版、1994年）を参照するのがよい。
【０００３】
300年前にクラリネットが発明された時以来、クラリネット奏者は、奏者の期待を完全に満たすリードを得るのが困難であると訴えてきた。そして、楽器製造者及び発明者はマウスピースとリードとの性能を改善しようと努めてきた。今日において、課題として問われているのは、天然の葦でリードを製作する際における製作技術上の正確さの問題ではなく、リード材料の固有のバラツキの問題である。
【０００４】
リードは、その特徴が、その形状、材料の構造、湿度レベル、並びに老化と光による疲労状態、及びそれを構成する繊維の化学的構造的変化の関数として変化するバネのようなものであると考えることができる。
【０００５】
リード自体は良好なのであるが、それが配されているマウスピースと満足の行く相互作用をしないということもよく起こる。マウスピースにリードをより密着させるために、クラリネット奏者は、別のリードを使うか、リードを取り付け直すこともある。これは、非常に経験を要する作業である。
【０００６】
通常のリードから最高のものを得るために、例えばある特定の型のリガトゥラなど、マウスピース組立体に取り付けられる装置が提案されてきている。このような装置は、米国特許第1,896,814号に開示されている。開示されている楽器においては、マウスピースはその面に溝を有しており、リガトゥラは、該溝に圧力を及ぼしてリードを撓ませ、開口部を変更するように設計されている。
【０００７】
米国特許第3,791,253号は、リード上に配することができる取り外し可能な部品を備えたリガトゥラを開示している。この部品を長手方向に動かすことにより、リードの弾性的な性質を変えることができる。
【０００８】
米国特許第2,224,719号に記載の発明では、リードの内表面に圧力を及ぼすバネを追加し、その取り付けと圧迫とをリードに設けた穴に嵌合する螺子によって行っている。この方法もリードの弾性を変更するものである。さらに、リードに穴を開けることによって、その挙動が、予想も付かないような方法で大きく変わる可能性がある。
【０００９】
ここまで記述してきた、これら従来技術の方法による改良は、３つの場合全てにおいて、一つのパラメータのみが対象になっているので、限られたものでしかない。しかしながら、米国特許第3,791,253号もしくは第2,224,719号に開示されている装置によって変更することのできるリードの弾力性、又は米国特許第1,896,814号に開示されている装置手段によって変更することのできる、マウスピースとリードの先端との間の開口部の大きさに加えて、マウスピースとリードとの間の相互作用に関係する５つのパラメータが重要な役割を果たす。その内の３つのパラメータは、面の湾曲した部分、即ち、その長さ、湾曲状態及び横方向の非対称度に関係する。これに加えて、リードとマウスピースとの間の接合状態と、リードのバッフルに対する傾斜を前記パラメータとして挙げることができる。
【００１０】
マウスピースの構造を大きく変えることを必要とする、より大きな他の変更が提案されている。例えば、米国特許第2,495,484号は、螺子によって取り付けられると共にマウスピース面の場所を取る枠を備えたマウスピース組立体を開示している。フォークがマウスピース組立体に取り付けられ、該フォークが面に対向する枠表面に対して支持されるように配されている。このような型の改良は、その使用を不可能にするような欠点を有している。即ち、音楽家の楽器を変更せずして取り付けることができない。実際、音楽家が使い慣れたマウスピースを取り替えるか、専門家に頼んで楽器に手を加えてもらう必要がある。
【００１１】
【特許文献１】米国特許第1,896,814号
【特許文献２】米国特許第3,791,253号
【特許文献３】米国特許第2,224,719号
【特許文献４】米国特許第2,495,484号
【発明の開示】
【発明が解決しようとする課題】
【００１２】
マウスピースとリードとの相互作用に影響する全てのパラメータをよりよく制御し、その構造を変更することなく標準的なマウスピースに取り付けることを可能にすることによって、従来技術の欠点を克服するのが本発明の目的である。
【課題を解決するための手段】
【００１３】
本発明によると、マウスピース組立体は、
−・バッフル、該バッフルもしくは斜面に対向する壁及び２つの側壁、並びに孔を備え、楽器の管に向けて空気を流すと共に音波を循環させるためのチャンバー；並びに
・前記チャンバーのいずれかの側面に横方向に配されて前記２つの側壁の端部を形成する湾曲部、及び該湾曲部の延長上にあり、前記チャンバーと孔との上に配される実質的に平坦な部分を有する第一の原面
を備えたマウスピース、
−・該マウスピースに固定されるストック；
・振動するバンプ；及び
・該ストックとバンプとの全長に亘って延在し、それらの表面の一つを形成する表甲；
を有し、前記ストックに関連する前記表甲の部分を介して、前記第一の原面の平坦な部分に対して支持されるように配されているリード；並びに
−マウスピース上にリードを確実に組み付けるリガトゥラ
を有する。
【００１４】
このマウスピース組立体においては、マウスピースとリードとの間に空気を通し、音の振動を発生するための開口部が設けられる。空気はチャンバー内、そして略長手方向の穴の中に流れ込む。
【００１５】
・このマウスピース組立体は、マウスピース組立体の面と表甲との間に狭持され、前記第一の原面と共に第二の実質面を限定するように配される、パッチの形状をしている除去可能な挿入体をさらに有し、この第二の実質面は、前記第一の原面の形状、挿入体及び前記第一の原面上の挿入体の位置の関数となっていることによって特徴付けられる。この明細書においては、パッチは、好ましくは略長方形又は台形の可撓性のある部材であって、その厚さは様々であり、長さ・幅等の他の次元よりも実質的に小さいものと定義される。
【００１６】
このマウスピース組立体において、前記挿入体は、前記第一の原面の湾曲した部分の少なくとも一部を覆うことができる。その結果、前記湾曲した部分の長さ及び／又は湾曲度を変更することができ、長手方向に挿入体を変位させることによって、その特徴を微調節することができる。
【００１７】
本発明は、このようなマウスピース組立体に取り付けることのできる挿入体にも関する。この挿入体は、その端部の少なくとも１つに、リードのバンプに面するように配される傾斜面を有する。この傾斜面の端部の厚さが0.09 mmよりも小さいと好ましい。
【００１８】
この挿入体の厚さは、横方向には一定であり、長手方向に沿って、部位によって決定される連続的な関数に従って変化する。部位の数は３であり、各々は四次の多項関数でなっており、その内の少なくとも１つは、２mmより大きい長さに亘って、少なくとも２つの０ではない係数を有している。
【００１９】
前記挿入体は、相互に固定された薄いシートを積み重ねた形状をしていると都合がよく、積み重ねられたシートの枚数は、傾斜面を形成するために減少して行く。
【００２０】
細かな修正を可能にするために、前記傾斜面の頂点における角度は小さくなくてはならず、３度よりも小さいと好ましい。
【００２１】
挿入体傾斜面の形状によって、前記実質面の湾曲部の特徴を変更することができる。これについては、いくつかの形状を考えることができ、なされる変更に従って選択される。
【００２２】
チャンバーが挿入体によって過剰にマスクされるのを防ぐために、傾斜面を含むその端部は、その全厚に亘って設けられると共にその中央部に横方向に配される切り出し部が備えられている。この切り出し部は、マウスピース面の湾曲部に支えられるように配置される２本の指状体と、これらの指状体によって限定されると共にチャンバーへのアクセスを適切に解消するためのスカラップとを限定する。
【００２３】
材料の選択は、マウスピース上でのリードの動作条件に影響を与える。使用される材料は、挿入体に所望の形状を与えられなくてはならず、また、音の生成中にリードと共に振動しないような構造でなくてはならない。したがって、熱可塑的変形によって加工することのできる材料、例えば、アルミニウム合金などを使用すると都合がよい。
【００２４】
接続部があまり弾力性のない材料で作られている場合は、挿入体を熱可塑性材料で作ると都合がよい。
【００２５】
挿入体が熱形成可能なものである場合は、変形する部分を加熱・押圧する方法、射出法、又はカレンダー法などにより、単純で安価な方法で所望の形状を得ることができる。
【００２６】
挿入体が有する複数の面の内の１つの面の一部に、再配置可能なタイプの接着層を設けることによって、確実で容易に調節することのできる配置を行うことができることが明らかになっている。この接着層は、リードとマウスピースとの間の接続条件にも影響を及ぼすことが可能である。厚さと表面とはこのようにして調節することができる。しかしながら、一般に、接着層が挿入体を完全に覆うことはなく、したがって、挿入体は容易に取り外すことができる。
【発明を実施するための最良の形態】
【００２７】
本発明の他の効果及び特徴は、添付の地面を参照してなされる以下の記載から理解されるであろう。
【００２８】
図１、４及び６においては、縮尺は重視していない。より具体的には、その形状が見えるように、挿入体の厚さが大きく誇張されている。
【００２９】
図１及び２に示されているマウスピース組立体は、クラリネットに取り付けられるためのものである。類似の型のものを、サキソホーン又は単一の音栓リードを有する他の楽器に適用することができる。このマウスピース組立体は、マウスピース10、リード12、及び本発明に係る部品をよりよく示すために図示されていないリガトゥラを有している。以下の記載から理解されるように、これらの要素は従来から楽器に取り付けられているものであって、変形や構造的な変更を加えていない。このマウスピース組立体は、マウスピース10とリード14との間に配される挿入体14も含んでおり、その構造と機能とを以下に記載する。
【００３０】
従来の方法で、マウスピース10は単一の部品として作られる。マウスピースは、口に配するための前部16と、クラリネットの胴部に固定される、ほぞ18を形成する円筒状の後部とを有する長方形の形状をしている。前部16は、２つの面20及び22で先端を切り取った実質的に円錐形をしている。表面20は、ここでは原面と称される面を形成しており、２つの部分を有している。その内の１つ、20aは実質的に平坦であり、ほぞ18に近接している。他の部分20bは湾曲しており、マウスピース10の前部を占有している。
【００３１】
ほぞ18は略円筒状であり、その周縁部とその同心的な取り付け用の凹部において、胴部と密接な接続を形成するコルクの継ぎ手24を有している。
【００３２】
面22は、マウスピースの、ビーク（嘴）と称される部分を形成しており、面20と鋭角部分を形成している。この鋭角部分は、マウスピースの先端とも称されるマウスピース端部のホイッスルの形状を定めており、この一部が口に配される。
【００３３】
マウスピース10中をチャネルが通っており、面20をほぞ18の中央部につなげており、口から出た空気を楽器の内部に確実に通過させている。このチャネルは、バッフル26a、該バッフル又は斜面に対向する壁（図中では隠れている）、及び２枚の側壁26bによって仕切られたチャンバー26によって形成されている。該チャンバーは部分20bに開口して、マウスピースの通常ウィンドウと称される部分と、わずかに円錐形であって、ほぞと同心であり、チャンバーに開口すると共に図示されない胴部内、そしてクラリネットの管内に延在する孔27とを定めている。孔27は空気柱の範囲を定め、該空気柱がリードの振動の効果を介して振動させられ、その振動数が出る音を決める。
【００３４】
リード12は、当業者にはよく知られている方法で、通常、アルンド・ドナックス（Arundo donax）種の天然葦の一部から作られる板であって、表甲28を形成する平坦な下表面、表甲28の反対側の凸状部であってリード12をマウスピース10に固定するリガトゥラの支持体として機能するストック30、及びその薄い構造によって振動することのできるバンプ32を有している。図１において、挿入体14が見えるように、リードはマウスピースの上方に示されている。もっとも、表甲28はその動作位置において点線で印が付けられており、参照符号28'によって示されている。
【００３５】
挿入体14は安定していて十分に可撓性のある材料、例えば、アルミニウムや熱可塑性材料などで形成されており、リードの強い振動にもかかわらずマウスピース面に容易に付着することができる。図３及び４に見られるように、挿入体は、挿入体の本体を形成すると共にその形状に応じてマウスピース10に対するリードの距離と傾斜とを変更する後部34、部分20bの湾曲性を調節する前部36、及び前部36と後部34とを結びつける中間部38を有している。この中間部38は、マウスピース10上の挿入体の長手方向の位置に応じて、前部36又は後部34へと延在することが要求される。このように、これらの３つの部位34と36と38との相違は特に機能的であって、形態的な相違のみではなく、使用されるマウスピース面の湾曲部20bの湾曲性に依存する。前記湾曲性は経験として知られていないのであるから、したがって、図３及び４に示されている部位34と部位36と部位38との境界は大体のものである。
【００３６】
図３及び４に示されている態様において、後部34の厚さは一定である。前部は（図４においてより明確に見ることができる）マウスピース10の端部に向かって薄くなっている傾斜面40と、それぞれチャンバー26の一方の側面に延びており、側壁26bの端部を部分的に覆い、挿入体14がマウスピース10の前方に非常に寄せて配されたとしてもチャンバー26が塞がれるのを防ぐ切り欠き部分46を定める２本の指とを有している。自由端におけるこの傾斜面の厚さは可能な限り薄くなくてはならず、一般に、0.09 mm未満であり、頂点の角度は３度以下である。
【００３７】
今まで、リードはその表甲28を介して、前記原面の平坦な部分20aに直接取り付けられてきた。部位20bが湾曲形状を有しているので、マウスピース10の前部とリード12の前部とは相互に離れていて、これによってチャンバー26内に開口する開口部48を形成しており、クラリネット奏者が空気を吹き込んでリードの振動による音を出すのを可能にしている。リードに対して、面20に取り付けられて部分的に面20bを覆う挿入体14は、ここでは実質面と呼ばれ、挿入体14の形状に応じて湾曲部20bとは異なる湾曲性及び／又は長さを有する新しい面を形成する。
【００３８】
出る音の品質は数多くのパラメータに依存するが、特に楽器の本体、それのみならずリード12、そしてマウスピース10上で振動する態様に依存する。楽器のこの部分は、環境的、熱的、湿度的及び気圧条件はもとより、その構造におけるわずかな違いに非常に敏感である。クラリネット奏者が演奏する度に、演奏される作品、使用される楽器の調性、及び音響環境に適したリードを選択しなくてはならない。最適なリードを選択する可能性を大きくするために、クラリネット奏者は多数のリードを使い慣らしていなくてはならず、これはお金がかかると共に大変な仕事である。さらに、各リードの最適な動作期間は非常に短い。
【００３９】
特に、挿入体14は、それに先立つ変更を必要とすることなく、どの型のマウスピースにも適合するので、前記問題に単純で、経済的且つ独創的な解決を与える。このような解決法が提供された結果、音の聞こえの変化に対する柔軟性と感度とを開発することによって、教師は生徒により適合するアンブシュールを指示し、技術を指導することができる。
【００４０】
以下に記載するように、この挿入体14の存在によって、リード12をマウスピース10に接続する条件が変わり、したがって、形状、位置及び挿入体14を形成する材料の関数である音質が変わる。
【００４１】
より具体的には、任意のリードに関して、発生される音の質は、特に以下の要素に依存する。
−マウスピースとリードの先端との間にできる開口部の大きさ、
−面の湾曲部の長さ、湾曲性及び横方向の非対称性、
−リードとマウスピースとの間の接続状態（特に、弾力性、慣性及び表面状態）、並びに
−バッフルに対するリードの傾斜。
【００４２】
これらのパラメータ全ては、挿入体を適切に調節することによって、より具体的には、その形状、表面状態、挿入体が形成される材料、及びマウスピース10上のその位置によって調節することができる。挿入体14が実線で中央部に示されており、点線で後退した位置に示されており、また、変位が二重矢印で示されている図２に見られるように、挿入体の変位は重要である。
【００４３】
図３及び４は、そのような調節を可能にする範囲の挿入体の、それぞれ上面から見た図と側面から見た図を示している。これらの図面において、図面への書き込みが増え過ぎないように、参照符号はその一部にのみ付されている。上方から見ると、これらの挿入体は略長方形をしている。挿入体は、同様に、面20の形状によりよく適合するように台形であってもよい。
【００４４】
ａで示される挿入体は長方形であり、一定の厚さのフィルムから切り出したものである。この挿入体は、マウスピースの平坦部20aとリード12の表甲28との間に挿入するためのものである。厚さが開口部48を確実に調節するのに対して、選択される材料は接続の品質を決定する。この挿入体はｈ又はｊの側面図に示されているような傾斜を有することもできる。この場合、チャンバー26を塞ぎすぎるほどではないが、挿入体は、わずかに湾曲部20bにかかることになる。
【００４５】
ｂ、ｃ、ｄ、ｅ及びｆに示されている挿入体は、指状体42及び44によって定められる切除された部分46を有しているので、湾曲部20bにしっかりと契合することができる。この切除部46はいくつかの形状を取ることができる。図示されるように、ｂでは半長円形であり、ｃでは台形である。ｄには、また、台形のものが示されているが、末端が三角形構造になっている。ｅとｆとに示されている挿入体は、２つの非常に短い指状体42及び44を有しているのみであり、したがって、切除部分46が小さい。
【００４６】
図４のｇに斜視図が示されている挿入体14は、後部34及び38が一定の厚さの単純な形状で、前部36が傾斜40を形成している。この傾斜は、厚さ数μm〜数百分の１mmの、例えば熱付着性プラスチックなどの薄いシートを重ね合わせてできており、シートは加熱によって相互に固定されている。挿入体の後部はリードのストックを支持し、音を作っている間のその振動は無視し得るので、他の部分よりも厚い材料を用いて作ることができる。挿入体は、0.01 mm〜１mmの厚さを有していると都合がよい。
【００４７】
ｈに示されている態様はｇに示されている態様にその構造が類似しているが、傾斜40は通常のものであり、段差を有していない。このような構造体はアルミ合金のシートを用いて、その端部をロールミル中で平坦にすることによって作ることができる。ｉの態様では、傾斜40の角度がｈの態様よりも大きくなっている。実務経験によると、傾斜角は３度未満であるのが好ましく、通常、0.1〜0.3度である。
【００４８】
ｊ、ｋ及びｌに示されている態様は、凸状の前部36を備えている。ｊの態様では、後部34はその自由部に向かって薄くなって行き、ｋの態様では、中央部38に向かって厚さが減少している。また、ｌの態様では、示されている挿入体は後部を有していない。前部36の凸状部を介して、これら後者の構造によって、実質マウスピース面の湾曲部の長さが短くなる。マウスピース面の部分20a上でのリード12の支持状態は、後部34の構造の関数として変更することができる。
【００４９】
ｍの態様の挿入体は、中央部38に向かって薄くなって行く厚い後部を有しているので、マウスピース10の面の部分20aの支持状態を大きく変更する。傾斜40を形成するその前部36は、凹状の形状をしており、これは前部の部分20bの形状をわずかに変更するのみであるが、近接する部分である部分20aを大きく変更する。その結果、実質面の長さは増す。
【００５０】
このように、単一の音栓リードを有する楽器のリードとマウスピースとの間に挿入体を加えることによって、はるかに効率的な方法で、リードとマウスピースとの相互作用を制御し、通常のリードから最大限の効果を引き出すことができるようである。
【００５１】
挿入体の形状は、市販の最も独創的なマウスピース面のプロフィールをモデルとして、数学的に決定することもできる。後者は、事実、１mmの200分の１程度の正確さをもって、部位によって定められる連続関数ｆｒに対応する。
【００５２】
【数１】
2005513578.tif 000003
【００５３】
ここにおいて、ｐｒ,ａとｐｒ,ｂとは４次の２つの多項関数である。
【００５４】
【数２】
2005513578.tif 000004
係数ａｒ,０、ａｒ,１、ａｒ,２、ａｒ,３、ａｒ,４、ｂｒ,０、ｂｒ,１、ｂｒ,２、ｂｒ,３、ｂｒ,４、及びｋｒは実数の定数である。
【００５５】
ｆｒは連続であるので、ｐｒ,ａ（ｋｒ）＝ｐｒ,ｂ（ｋｒ）である。
【００５６】
長手方向の軸Ｏｘは、原面に固定されたリード12の表甲面とマウスピースの対称面との交差線と定義される。軸系の原点は、Ｏｘ上のリードの先細りの端部にある。マウスピースの先端も横座標が０になるように、リードは横方向に中心に寄せて配される。Ｏｘ軸に垂直な横方向軸Ｏｙはリード表甲の面内にあり、Ｏｚ軸はこの平面に垂直である（図５）。
【００５７】
ｆｒ(ｘ)は、マウスピース原面の横座標ｘでの縦座標ｚを定める。
【００５８】
定数ｋｒは、この関数で参照されている面の湾曲部20bと実質的に平坦な部分20aとの間の制限を形成している。後者の部分が完全に平坦であれば、ｂｒ,０＝ｂｒ,１＝ｂｒ,２＝ｂｒ,３＝ｂｒ,４＝０とする。実際には、この部分は一般にごくわずかに凹状になっている。
【００５９】
ｆｒと類似の方法で、挿入体が取り付けられる実質マウスピース面に対応する関数ｆｖを次のように定義する。
【００６０】
【数３】
2005513578.tif 000005
【００６１】
ここにおいて、ｐｒ,ａとｐｒ,ｂとは４次の２つの多項式である。
【００６２】
【数４】
2005513578.tif 000006
係数ａｒ,０、ａｒ,１、ａｒ,２、ａｒ,３、ａｒ,４、ｂｒ,０、ｂｒ,１、ｂｒ,２、ｂｒ,３、ｂｒ,４、及びｋｒは実数の定数である。
【００６３】
ｆｒは連続であるので、ｐｒ,ａ（ｋｒ）＝ｐｒ,ｂ（ｋｒ）である。
【００６４】
長手方向の軸Ｏｘ'は、実質面に固定されたリード表甲28の面とマウスピースの対称面との交差線と定義される。新しい軸系の原点は、Ｏｘ'軸上のリードの先細りの端部にある。マウスピースの先端がほぼ横座標の０になるように、リードは横方向に中心に寄せて配される。Ｏｚ'軸がリード表甲の面に垂直であるのに対し、Ｏｘ'軸に垂直な軸Ｏｙ'はこの平面内にある（図５）。ｆｒ(ｘ')は、実質マウスピース面の横座標ｘ'での縦座標ｚ'を定める。このように定義された２つの軸系は、このように、相互にわずかに変位している。２つの軸系の角度が非常に小さいので、横座標の１点ｘは２つの軸系に関して同じ横座標値を有していると考える。
【００６５】
他方、振動リードはその静止位置を越えて動くことができることを念頭に置かなくてはならない。即ち、図６より理解されるように、振動のこの部分においてもリードを制御することができるように、ｐｖ,ａ（ｘ）のｘ軸の最大値はｋｖよりわずかに小さくなっている。
【００６６】
挿入体を使用すると、係数ａｒ,０、ａｒ,１、ａｒ,２、ａｒ,３、ａｒ,４、ｂｒ,０、ｂｒ,１、ｂｒ,２、ｂｒ,３、ｂｒ,４、及びｋｒに適切な値を与えることによって、任意の原面から非常に多様な面形状を得ることができる。
【００６７】
実際上、有用な補正はわずかであり、マウスピースバッフルに対して挿入体の存在によって生じるリードの角度の相違は小さいので、挿入体の厚さは、一方の関数から他方の関数を減じてアフィン関数ｄ（直線）を加えることによって直接的に推定することができる。
【００６８】
【数５】
2005513578.tif 000007
【００６９】
このアフィン関数は、その厚さを示すｓ、ｓ＝ｆｖ−ｆｒ＋ｄ、が面の全長に亘って常に正であり、マウスピースの先端においてゼロに近付くように（１mmの百分の１程度のオーダーの公差で）選択される。これらの計算操作は、図６にグラフを用いて説明されている。より具体的には、定数ｋｒ及びｋｖの横座標と共に関数ｆｒ、ｆｖ、ｄ及びｓが示されている。ｓで示される挿入体がｆｒで示されるマウスピースの原面に重ねられると、直線ｄがＯｘ'軸に一致することに注意されたい。リードがＯｘ'軸に載置されると（Ｏｚ軸の目盛が大きく拡大されるという事実（この場合は30倍のオーダー）を当然のこととして）、Ｏｘ軸に載置されるリードに対する実質面ｆｖが原面プラス挿入体（ｆｒ＋ｓ）に等しくなることが理解される。
【００７０】
多項関数の数学的性質を考慮しながら、以上に記載したことをまとめると、通常、挿入体の長手方向の厚さは部位、定数ｋｒ及びｋｖによって範囲を定められる３つの四次の多項関数、そして、使用者が望む最小の厚さ及び最大の長さによって定められる連続関数に実質的に従う。これら２つの外部的境界の外側では、挿入体の厚さは０である。使用者が挿入体を横方向に非対称にしたいと望まない限り、一般に、横方向の厚さは一定である。
【００７１】
図４に示されている態様は、挿入体を形成するシートが十分に薄い限り、ｇに示された態様を含み、全て前段落の定義に従っていることを強調しておく。
【００７２】
技術及び音楽の両方の見地から、関数ｆで示される任意のマウスピース面の挙動を予言することが難しいことを、記録として残すために述べておく。リードの薄くなった端部が、その静止位置と、面の湾曲が横座標の一点ｘに完全に適合する位置との間を動く距離ｇ(x)の計算が可能になるように、予め数学的変換を行っておくと、いくらか便利になる。そして、リードの表甲は、この点で正接に沿って、横座標の０に対して完全に直線をなすように延長される。
【００７３】
これは、以下の微分方程式によって数学的に記載される。
【００７４】
【数６】
2005513578.tif 000008
【００７５】
ここにおいて、ｆ'は関数ｆの第１次導関数である。関数ｇが四次の多項関数であるとすると、
【００７６】
【数７】
2005513578.tif 000009
すると、前記微分方程式を解くことができ、
【００７７】
【数８】
2005513578.tif 000010
を得る。ここにおいて、積分定数ｈは次の値を有する。
【００７８】
【数９】
2005513578.tif 000011
【００７９】
【数１０】
2005513578.tif 000012
のように、ｘ０は関数ｇの実際の０である。
【００８０】
位置ｇ(０)と挿入体の薄くなった端部の位置ｇ(ｘ)との間をリードが動くことによって変位される空気の体積ｖは、次の関数によって計算することができる。
【００８１】
【数１１】
2005513578.tif 000013
【００８２】
経験的に係数ｃ１を無視することができ、すると、ｆは四次の多項関数になり、ｇ'(０)＝０である。
【００８３】
以上の式とリードの形状とを用いて、材料技術者は音が出ている間にリードが受けるストレスを評価することができる。このようにして、リードが受けるストレスの強度と位置とを制御してその寿命を最適化する、一連の挿入体を作ることができる。
【００８４】
新しいリードが非常に厚い場合は、そのリードの弾性ポテンシャルを活用することから始めて、以下の特徴、即ち、小さな開口部、大きな長さ、及び小さな湾曲を有するマウスピース面を用いて、その寿命を大きく延ばすことができることが経験的に観察されている。リードが次第にしなやかになって行くにつれ、長さを短くしつつ開口部と湾曲を大きくすることによって、リードがより薄くなっている領域により大きなストレスを加えるのが可能になる。挿入体を用いない従来のマウスピースと使用すると、器楽奏者は自分の唇でリードを圧縮して、結果として、リードのより薄い領域を利用せざるを得なくなる。この領域が一度弱くなってしまうと、音楽的に満足な結果を有してより厚い領域を使用するのは不可能になり、リードの寿命が著しく短くなる。
【００８５】
挿入体を使用し、挿入体を動かしながらの位置決めを容易にするために、マウスピース10の面と接触させる挿入体の表面が、３Ｍ（登録商標、米国）が販売している接着剤など、再配置可能なタイプの接着剤の層で被覆されていると都合がよい。比較的柔らかい材料であるこの接着剤層によって、リード12とマウスピース10との間の接続状態が変更される。これが、所望の結果に応じて選択される挿入体の長さの小さな部分にのみ接着剤を塗布すると都合がよいことの理由である。全ての場合において、挿入体の除去を容易にするために、接着剤で挿入体の表面を完全に覆わない方が好ましい。
【００８６】
ここに示されている態様は、考え得る課題解決手法の一例に過ぎない。その堅さ、弾性、又は振動を減衰する能力、そしてその使用容易性を考慮して選択された他の材料を用いても本発明を実施することができる。
【００８７】
また、前部36、後部34、及び中央部38の全てに関して他の形状を有する挿入体を提供することも可能である。このように、挿入体が端部においてより厚く、或いは逆により薄くなるように横方向の厚みを変えることも可能であり、又、実質面の湾曲がチャンバー26の両側で同じでないように、横方向に非対称にすることも可能である。このような設計によって、リードの非対称性と共にクラリネット奏者の口の非対称性を補正することができ、また、音響パワーのより微妙な制御が可能になる。
【００８８】
マウスピース10への挿入体の固定性を改良するために、その前部36を折り曲げ、チャンバー26に勘合させ、及び／又はマウスピース10の外部の形状を合わせることによって作られた、横方向の配置手段を挿入体に設けることも可能である。
【００８９】
クラリネット用のマウスピース組立体に関して記述した課題解決法は、勿論、単一の音栓リードを有する他の楽器、特にサキソホーンにも適用することができる。この場合、挿入体の大きさはこの楽器に合わせることになる。
【００９０】
また、所望の効果を得るために、重ね合わせた、又は並置した複数の挿入体を載置することも可能である。
【００９１】
通常、挿入体14はマウスピース10の面に取り付けられる。しかしながら、リード12の表甲28に取り付けることも可能である。
【００９２】
挿入体の位置の調節を容易にするために、その長手方向の位置を示す示度又は目盛を挿入体に設け、器楽奏者が前記目盛等をマウスピース上の印、例えば、リガトゥラの第一中心環に合わせるなどして使用することができるようにすると都合がよい。
【図面の簡単な説明】
【００９３】
【図１】図１は、本願明細書で「トップ」と定義される、リードを受ける、本発明によるクラリネットのマウスピース組立体の斜視図である。
【図２】図２は、本願明細書で「トップ」と定義される、リードを受ける、本発明によるクラリネットのマウスピース組立体の側面図である。
【図３】図３は、本発明のマウスピース組立体に取り付けることのできる様々な型の挿入体の上面図である。
【図４】図４は、本発明のマウスピース組立体に取り付けることのできる様々な型の挿入体の側面図である。
【図５】図５は、挿入体のない、クラリネットのマウスピースの側面図である。マウスピース面の実質的に平坦な部分にリードが固定された場合に定義される軸ＯｘとＯｚとの座標系を示している。
【図６】図６は、薄い挿入体がどのように計算されるかを示すグラフである。
【図１】
2005513578.tif 000014
【図２】
2005513578.tif 000015
【図３】
2005513578.tif 000016
【図４】
2005513578.tif 000017
【図５】
2005513578.tif 000018
【図６】
2005513578.tif 000019
【国際調査報告】
2005513578.tif 000020
2005513578.tif 000021
2005513578.tif 000022
2005513578.tif 000023